(57)【特許請求の範囲】
【請求項１】
チュービング装置本体上面に、中央部にケーシングチューブ挿通孔を有する略矩形の足場板を載せたチュービング装置の作業用デッキにおいて、前記チュービング装置を、チュービング装置本体を構成する昇降フレーム及びチャック装置支持フレームと、チュービング装置本体を支持するベースフレームとを平面視略長方形の略同幅に形成し、前記略矩形の足場板の少なくとも一側辺を、前記チュービング装置本体の一側辺から突出しない形状に形成するとともに、前記略矩形の足場板の一側辺に装着した際に前記チュービング装置本体の一側辺から突出する足乗せ板を、前記足場板の一側辺に着脱可能に設けることを特徴とするチュービング装置の作業用デッキ。
【請求項２】
前記足場板の一側辺と前記足乗せ板の外側辺とは、手摺りを付け替え可能であることを特徴とする請求項１記載のチュービング装置の作業用デッキ。
【発明の詳細な説明】
【０００１】
【発明の属する技術分野】
本発明は、オールケーシング工法に用いるチュービング装置の作業用デッキに関する。
【０００２】
【従来の技術】
チュービング装置では、ケーシングの挿入や着脱、鉄筋かごの挿入や接続、トレミー管の挿入や着脱、生コンの投入などの作業をするために、チュービング装置本体１上面に、中央部にケーシングチューブ挿通孔２を有する略矩形の足場板３を載せて、作業のし易いある程度の広さの作業用デッキを設けている。
【０００３】
【発明が解決しようとする課題】
ところが、この作業用デッキは、十分なスペースを確保するために、足場板３がチュービング装置本体１の一側辺から突出する形状に形成されているものが多く、隣接する建物の壁際ぎりぎりで工事をする場合に突出部分が邪魔になるから、図７に示されるように、一側辺を切り欠いた足場板３を作成して付け替えたり、図８に示されるように、足場板３が分割タイプのものでは、片側の足場板を外して作業をしていた。このため、前者では、コストが掛かるとともに付け替え作業も面倒であり、後者では、足場板３が片側にしかないので作業スペースが制約され、作業効率に影響を及ぼす。
【０００４】
そこで本発明は、壁際ぎりぎりで工事する際に足場板の拡縮作業を容易に行えることができるチュービング装置の作業用デッキを提供することを目的としている。
【０００５】
【課題を解決するための手段】
上記した目的を達成するため、本発明は、チュービング装置本体上面に、中央部にケーシングチューブ挿通孔を有する略矩形の足場板を載せたチュービング装置の作業用デッキにおいて、前記チュービング装置を、チュービング装置本体を構成する昇降フレーム及びチャック装置支持フレームと、チュービング装置本体を支持するベースフレームとを平面視略長方形の略同幅に形成し、前記略矩形の足場板の少なくとも一側辺を、前記チュービング装置本体の一側辺から突出しない形状に形成するとともに、前記略矩形の足場板の一側辺に装着した際に前記チュービング装置本体の一側辺から突出する足乗せ板を、前記足場板の一側辺に着脱可能に設けることを特徴としている。また、前記足場板の一側辺と前記足乗せ板の外側辺とは、手摺りを付け替え可能である。
【０００６】
【発明の実施の形態】
以下、本発明を図１乃至図６に示される実施形態例に基づいて説明する。なお、従来例と同一要素には同一の符号を付して説明する。チュービング装置４は、チュービング装置本体１を構成する昇降フレーム５及びチャック装置支持フレーム６と、チュービング装置本体１を支持するベースフレーム７とを平面視略長方形の略同幅に形成している。
【０００７】
ベースフレーム７は、昇降フレーム５を昇降可能に支持する４本のスラストシリンダ８を有し、昇降フレーム５は、ガイドポスト９と、ケーシングチューブ挿通孔２を形成したリング状の回転フレーム１０と、チャック装置支持フレーム６を昇降するチャックシリンダ（図示せず）とを有し、チャック装置支持フレーム６は、ケーシングチューブ挿通孔２を形成したリング状の回転フレームに吊持される複数のチャック部材１１を有している。
【０００８】
チュービング装置４は、ケーシングチューブ挿通孔２に挿通されたケーシングチューブ１２と回転フレーム１０との間にチャック部材１１を下降させて、ケーシングチューブ１２を把持し、回転フレーム１０を油圧モータ１３で回転させながら、スラストシリンダ８の伸縮によって昇降フレーム５を昇降させて、ケーシングチューブ１２の押し込み・引き抜きを行う。
【０００９】
チャック装置支持フレーム６上面には足場板３が載置されている。該足場板３は、中央部にケーシングチューブ挿通孔２を有する４枚に分割された足場板３１，３２，３３，３４から構成され、チャック装置支持フレーム６の一方の長辺６ａ側に載せられる足場板３１，３２は、該長辺６ａ側の側辺３１ａ，３２ａを長辺６ａから突出する形状に形成され、他方の長辺６ｂ側に載せられる足場板３３，３４は、該長辺６ｂ側の側辺３３ａ，３４ａを長辺６ｂから突出しない形状に形成されている。
【００１０】
この足場板３３，３４の側辺３３ａ，３４ａは下方へ９０度折り曲げられ、該側辺３３ａ，３４ａに足乗せ板１５，１５がボルト１６にて取り付けられている。この足乗せ板１５、１５は、足場板３１，３２の側辺３１ａ，３２ａが長辺６ａから突出する幅と略同幅に形成されていて、図１，図２に示すごとく、足場板３３，３４の側辺３３ａ，３４ａに装着した際に長辺６ｂから突出する。
【００１１】
足場板３１，３２には手摺り１７が外周側に設けられ、足場板３３，３４には、装置の短辺側に手摺り１７と梯子１８とが設けられ、足乗せ板１５、１５の外端にも手摺り１７が設けられている。足乗せ板１５、１５の手摺り１７は、足乗せ板１５、１５に固設された筒１９に着脱可能に挿入されている。
【００１２】
前記足乗せ板１５、１５は、図４，５に示されるように、壁際工事の際には、ボルト１６を取り外すことによって足場板３３，３４から取り外すことができ、この場合には、足場板３３，３４の足乗せ板取り付け孔に、図６に示されるように、手摺り挿入筒２０を設けたブラケット２１をボルト１６で取り付けることによって、足乗せ板１５から取り外した手摺り１７を足場板３３，３４に付け替える。
【００１３】
したがって、壁際工事の際に、足場板を交換したり、足場板３３，３４を取り外すことなく、足場板３３，３４から足乗せ板１５、１５を取り外して手摺り１７を付け替えることで、作業に十分なスペースを確保して、チュービング装置４を壁際ぎりぎりまで寄せることができ、足場板３の拡縮作業を容易に行える。
【００１４】
なお、上記実施形態例では、足乗せ板１５、１５を足場板３の片側で着脱するもので説明したが、これに限るものではなく、また、足場板３や足乗せ板１５は一体構造でも良い。
【００１５】
【発明の効果】
以上説明したように、本発明のチュービング装置の作業用デッキは、チュービング装置本体上面に載せる足場板の少なくとも一側辺を、チュービング装置本体の一側辺から突出しない形状に形成し、足場板の一側辺に足乗せ板を着脱可能に設けるので、壁際工事の際に、足場板から足乗せ板を取り外すことでチュービング装置から突出するものがなくなり、チュービング装置を壁際ぎりぎりまで寄せることができ、足場板の拡縮作業を容易に行える。また、足場板の一側辺と足乗せ板の外側辺とに手摺りを付け替え可能としたので、工事の際の安全性を確保できる。
【図面の簡単な説明】
【図１】足乗せ板を取り付けたチュービング装置の平面図
【図２】同じく正面図
【図３】足場板と足乗せ板との取り付け状態を示す断面図
【図４】足乗せ板を取り外したチュービング装置の平面図
【図５】同じく正面図
【図６】足場板に手摺りを付け替えた状態の断面図
【図７】従来のチュービング装置による壁際工事の際の足場板の一例を示す平面図
【図８】同じく別の例を示す平面図
【符号の説明】
１…チュービング装置本体、２…ケーシングチューブ挿通孔、３…足場板、４…チュービング装置、５…昇降フレーム、６…チャック装置支持フレーム、７…ベースフレーム、１５…足乗せ板、１７…手摺り、３１，３２，３３，３４…分割足場板、３３ａ，３４ａ…分割足場板３３，３４の側辺
【図１】
0003554887.tif 000002
【図２】
0003554887.tif 000003
【図３】
0003554887.tif 000004
【図４】
0003554887.tif 000005
【図５】
0003554887.tif 000006
【図６】
0003554887.tif 000007
【図７】
0003554887.tif 000008
【図８】
0003554887.tif 000009